(57)【要約】【構成】脚部材を支持部材と補助部材とからなり、支持部材はろうそくを立てる水平板部材を支え、補助部材は支持部材の途中に揺動可能に設置され、所定角度で固定可能であり、この補助部材が所定角度で停止したとき前記水平板部材が略水平状態である。脚部材をアルミニウム製にするとともに水平板部材を木製にし、水平板部材を脚部材に対して着脱可能にしたろうそく立て装置である。【効果】  不使用時における取扱いがしやすい。水平板部材をのみ取り替えれば、全体を作りなおすことなく、常に、新規な状態で使用することができる。【選択図】    図３
0003162737.tif 000002
【実用新案登録請求の範囲】
【請求項１】
一対の脚部材と所要数の水平板部材とを備え，前記一対の脚部材を互いに対向させた状態で配置し、これらの脚部材の間に前記所要数の水平板部材を架設し、この水平板部材の表面にろうそくを立てるろうそく立て装置において、前記脚部材は支持部材と補助部材とからなり、前記支持部材は水平板部材を支え、前記補助部材は前記支持部材の途中に揺動可能に設置され前記支持部材の後方に延びるとともに所定角度で固定可能であり、この補助部材が所定角度で停止したとき前記水平板部材が略水平状態であり、且つ、前記脚部材をアルミニウム製にするとともに前記水平板部材を木製にし、更に、前記水平板部材を前記脚部材に対して着脱可能にしたことを特徴とするろうそく立て装置。
【請求項２】
前記水平板部材はアルミニウム製取付ブラケットを介して前記脚部材に設置されていることを特徴とする請求項１のろうそく立て装置。
【請求項３】
前記水平板部材の表面にロウソク嵌挿穴を設けたことを特徴とする請求項１又は請求項２のろうそく立て装置。
【請求項４】
前記対向する一対の脚部材の間に補強部材が架設されていることを特徴とする請求項１，請求項２又は請求項３のろうそく立て装置。
【考案の詳細な説明】
【技術分野】
【０００１】
この考案はろうそく立て装置に関し、複数のろうそくを並べて立てる場合に使用されるものである。例えば、百八体ろうそく台として使用されるものである。
【背景技術】
【０００２】
従来におけるこの種のろうそく立て装置（百八体ろうそく台）は、一対の脚部材と所要数の水平板部材とを備え，前記一対の脚部材を互いに対向させた状態で配置し、これらの脚部材の間に前記所要数の水平板部材を架設し、これらの水平板部材の表面にろうそくを並べて立てるものであった。
【０００３】
【特許文献１】実登録第３０５００９４号公報
【考案の開示】
【考案が解決しようとする課題】
【０００４】
しかしながら、かかるろうそく立て装置（百八体ろうそく台）にあっては、一対の脚部材に水平板部材を固定したものであったため、常に、使用状態の形態を維持し、空間を締める割合が大きい結果、不使用時における取扱いがしにくく、さらに、水平板部材が溶けたろうそくの付着によって汚れたり、ろうそくの炎の熱で焦げることによって汚れたたりした場合に作り直さなければならない結果、ろうそく立ての製品寿命が短くならざるをえないという不都合を有した。
【課題を解決するための手段】
【０００５】
この考案の課題は上記不都合を解消することである。
【０００６】
この考案に係るろうそく立て装置においては、一対の脚部材と所要数の水平板部材とを備え，前記一対の脚部材を互いに対向させた状態で配置し、これらの脚部材の間に前記所要数の水平板部材を架設し、この水平板部材の表面にろうそくを立てるろうそく立て装置において、前記脚部材は支持部材と補助部材とからなり、前記支持部材は水平板部材を支え、前記補助部材は前記支持部材の途中に揺動可能に設置され前記支持部材の後方に延びるとともに所定角度で固定可能であり、この補助部材が所定角度で停止したとき前記水平板部材が略水平状態であり、且つ、前記脚部材をアルミニウム製にするとともに前記水平板部材を木製にし、更に、前記水平板部材を前記脚部材に対して着脱可能にしたものである。
【０００７】
なお、前記水平板部材をアルミニウム製取付ブラケットを介して前記脚部材に設置することもできる。
【０００８】
また、前記水平板部材の表面にロウソク嵌挿穴を設けることもできる。
【０００９】
さらに、前記対向する一対の脚部材の間に補強部材を架設することもできる。
【考案の効果】
【００１０】
この考案に係るろうそく立て装置は上記のように構成されているため、即ち、前記脚部材を支持部材と補助部材とか構成し、前記支持部材によって水平板部材を支え、且つ、前記補助部材を前記支持部材の途中に揺動可能に設置し、前記支持部材の後方に延ばすとともに所定角度で固定可能にし、この補助部材が所定角度で停止したときに前記水平板部材が略水平状態になるようにしたため、支持部材に対して補助部材を折り畳むことができる結果、不使用時において前記脚部材はコンパクトな形態を維持し、空間に締める割合は小さくなるものである。
【００１１】
よって、このろうそく立て装置を使用すれば不使用時における取扱いがしやすいものである。
【００１２】
また、この考案に係るろうそく立て装置は上記のように構成されているため、即ち、前記脚部材をアルミニウム製にするとともに前記水平板部材を木製にし、更に、前記水平板部材を前記脚部材に対して着脱可能にしたため、ろうそくを立てる部分を木の状態にしたまま、脚部材を汚れにくく剛性を維持しやすい状態にすることができ、かつ、この水平板部材を脚部材から取り外すことができるものである。
【００１３】
よって、このろうそく立て装置を使用すればため、水平板部材が溶けたろうそくの付着によって汚れたり、ろうそくの炎の熱で焦げることによって汚れた場合にも、この水平板部材をのみ取り替えれば、全体を作りなおすことなく、常に、新規な状態で使用することができ、その製品寿命を長期化することができる。
【００１４】
なお、前記水平板部材をアルミニウム製取付ブラケットを介して前記脚部材に設置すれば、当該水平部材を決められた位置に適正に取付けしやすいものである。
【００１５】
また、前記水平板部材の表面にロウソク嵌挿穴を設ければ、ろうそくを決められた位置に安定した状態で立てることができるものである。
【００１６】
さらに、前記対向する一対の脚部材の間に補強部材を架設すれば、水平板部材を取り除いたときにも一対の脚部材は適正に配置された状態を維持することができるため、新たに、水平板部材を取付けしやすいものである。
【考案を実施するための最良の形態】
【００１７】
この考案に係る水平板部材は赤松材製であり、その形状は１５ｍｍ×４５ｍｍ×５７０ｍｍである。
【００１８】
また、脚部材を構成する支持部材、補助部材および補強部材はアルミニウムの角パイプ製である。
【００１９】
また、取付けブラケットはアルミニウム板製である。
【００２０】
水平板部材は６枚あり、各々にろうそく嵌挿穴は１８個形成されている。このため、ろうそくを全部で１０８本立てることができる。
【実施例１】
【００２１】
以下、図面に基づいてこの考案の実施例を説明する。
【００２２】
図１はこの考案に係るろうそく立て装置の斜視図、図２は同正面図、図３は図２におけるIII-III 線断面図、図４は折り畳んだ状態の側面図、図５は図２におけるＶ部の部分拡大断面図である。
【００２３】
図１〜図４において、Ａはこの考案に係るろうそく立て装置、１，１はこのろうそく立て装置Ａの脚部材である。これらの脚部材１，１はアルミニウム角バイプ製であり、互いに対向した状態に配置されている。
【００２４】
次に、各々の脚部材１，１において、１１は支持部材である。この支持部材１１は後方上がりの傾斜状である。また、１２は補助部材であり、前記支持部材１１の途中に揺動ピン１２１を介して揺動可能に設置されている。この補助部材１２は前記支持部材１１の下部に対して開いたり畳まれたりする。開いたときには、前記支持部材１１が後方へ倒れるのを防止している。なお、図４は折り畳んだ状態を示している。
【００２５】
１２２は係止ピンであり、前記支持部材１１における前記揺動ピン１２１の近傍に突設されている。この係止ピン１２２に前記補助部材１２の頭部が掛け止めすることによって、その開いた状態を固定する。
【００２６】
１３，１３は補強部材であり、前記一対の支持部材１１，１１に架け渡され、リベットによって固定されている。また、１４，１４も補強部材であり、前記補助部材１２，１２に架け渡され、リベットによって固定されている。このため、一対の脚部材１，１は常時所定間隔を維持することができる。なお、これらの補強部材１３，１４も脚部材１，１と同様にアルミニウム角バイプ製である。
【００２７】
次に、２，２，…は取付けブラケットであり、前記支持部材１１，１１の内側面にリベット止めされている。この取付けブラケット２，２，…はＬ字状であり、その載置面２１，２１，…は互いに内側方向を向いている。
【００２８】
３，３，…は赤松製の水平板部材であり、前記支持部材１１，１１に取付けブラケット２，２，…を介してビス２２，２２，…によって止めることにより着脱可能に載置されている（図５を参照のこと）。この水平板部材３，３，…は前記一対の支持部材１１，１１に架設された状態であり、その両端は前記支持部材１１，１１を越えて延びている。図５において、３１，３１，…はろうそく嵌挿穴であり、前記水平板部材３の表面に形成されている。このろうそく嵌挿穴３１，３１，…は火の付いたろうそくＲ，Ｒ，…の下端部を内嵌め固定するためのものである。
【００２９】
なお、この水平板部材３は、前記補助部材１２が開いて係止ピン１２２に掛け止めして所定角度で停止したときに、略水平状態になるように配置されている。
【産業上の利用可能性】
【００３０】
このろうそく立て装置は折り畳み可能であるため、不使用時における取扱いがしやすいものである。木製の水平板部材が溶けたろうそくの付着によって汚れたり、ろうそくの炎の熱で焦げることによって汚れた場合にも、この水平板部材をのみ取り替えることによって、全体を作りなおすことなく、常に、新規な状態で使用することができる、製品寿命を長期化することができる。祭事におけるろうそく立て装置としてその利用可能性は極めて高いものである。
【図面の簡単な説明】
【００３１】
【図１】図１はこの考案に係るろうそく立て装置の斜視図である。
【図２】図２は同正面図である。
【図３】図３は図２におけるIII-III 線断面図である。
【図４】図４は折り畳んだ状態の側面図である。
【図５】図５は図２におけるＶ部の部分拡大断面図である。
【符号の説明】
【００３２】
Ａ  …  ろうそく立て装置
１  …  脚部材
１１  …  支持部材
１２  …  補助部材
１２１  …  揺動ピン
１２２  …  係止ピン
１３  …  補強部材
１４  …  補強部材
２  …  取付けブラケット
２１…  載置面（取付けブラケットの）
２２…  ビス
３  …  水平板部材
３１  …  ろうそく嵌挿穴
Ｒ  …  ろうそく
【図１】
0003162737.tif 000003
【図２】
0003162737.tif 000004
【図３】
0003162737.tif 000005
【図４】
0003162737.tif 000006
【図５】
0003162737.tif 000007